(57)【要約】【課題】確実な防滴が図れ、組み立ても容易な回転式電子部品を提供する。【解決手段】回路基板６０と、回転体９０と、摺動子１１０及び摺接パターン６５からなる電気的機能部とを有し、回転体９０及び電気的機能部の部分を防滴構造（防水ケース１２０と、パッキン１４０と、防滴係合部１０１及び防滴部１２７の係合とで構成される）にすると共に駆動軸９５を防水ケース１２０の外部に露出してなるユニット化された電気的動作構成部品１０を構成する。一方回転軸１８５を有する回転つまみ１８０と、回転軸１８５を回転自在に軸支するケース本体１５０とを有してなるユニット化された機械的動作構成部品１００を構成する。駆動軸９５と回転軸１８５とを一体に回転するように係合しながら電気的動作構成部品１０と機械的動作構成部品１００とを一体に結合して回転式電子部品１を構成する。【選択図】図２
2010009937.tif 000002
【特許請求の範囲】
【請求項１】
回路基板と、前記回路基板に対して回転自在に設置される回転体と、前記回転体を回転することで電気的出力を変化する電気的機能部とを有し、前記回転体及び電気的機能部の部分を防滴構造にすると共に前記回転体の駆動軸を前記防滴構造の外部に露出してなるユニット化された電気的動作構成部品と、
回転軸を有する回転つまみと、前記回転つまみの回転軸を回転自在に軸支する回転つまみ取付部材とを有してなるユニット化された機械的動作構成部品とを具備し、
前記駆動軸と回転軸とを一体に回転するように係合しながら前記電気的動作構成部品と機械的動作構成部品とを一体に結合してなることを特徴とする回転式電子部品。
【請求項２】
請求項１に記載の回転式電子部品において、
前記防滴構造は、前記回転体を回転自在に収納する回転体収納部を有する防水ケースを有し、この防水ケースの回転体収納部の周囲に前記回路基板に当接して回転体収納部の内部を外部より密封するパッキンを取り付るとともに、この防水ケースには前記回転体の駆動軸を外部に露出する軸挿通穴を設けるとともに軸挿通穴の周囲に前記回転体の駆動軸の周囲に設けた凸または凹からなるリング状の防滴係合部を挿入するリング状の凹または凸からなる防滴部を設け、前記防滴係合部と防滴部の係合と、前記パッキンと回路基板との当接とによって前記回転体収納部内を防滴及び防水して構成されていることを特徴とする回転式電子部品。
【請求項３】
請求項１または２に記載の回転式電子部品において、
前記回転つまみ取付部材は、前記電気的動作構成部品を一体に結合することで前記回転つまみと前記電気的機能部の両者の周囲を囲むケース本体であり、
前記ケース本体には回転つまみの一部を外部に露出する開口部を設け、
さらにこのケース本体には、前記開口部から浸入した液体を外部に排出する排出口を設けたことを特徴とする回転式電子部品。
【発明の詳細な説明】
【技術分野】
【０００１】
本発明は、防滴構造を有する回転式電子部品に関するものである。
【背景技術】
【０００２】
従来、回転式電子部品の中には、例えば特許文献１の図２に示すように、回転式電子部品（１）の回転つまみ（回転体）（１１０）の外周部分の一部を外装ケース（１６０）に設けた開口（１６１）から外部に露出し、回転つまみ（１１０）の前記開口（１６１）から露出した部分を指等で操作することで回転つまみ（１１０）に取り付けた摺動子（１３０）を駆動し、これによって摺動子（１３０）が摺接するフレキシブル回路基板（５０）上の摺接パターンの電気的出力を変化させる構造のものがあった。
【０００３】
そして回転つまみ（１１０）を外部に露出させるために設けた開口（１６１）と回転つまみ（１１０）の間の隙間から浸入する液体が前記摺動子（１３０）等に付着しないようにその周囲には液体侵入防止機構が設けられている。
【０００４】
しかしながら上記従来の回転式電子部品（１）においては、回転つまみ（１１０）自体に電気的機能部品である摺動子（１３０）を取り付け、またこの摺動子（１３０）に対向する位置に摺接パターンを設置しているので、前記開口（１６１）から浸入して回転つまみ（１１０）を濡らす液体から前記摺動子（１３０）及び摺接パターンを防水することは容易ではなく、少量の液体であれば上記回転式電子部品（１）の液体浸入防止機構でも対応できるが、浸入する液体の量が増加すると上記液体浸入防止機構では防滴が確実ではなくなってしまう恐れがあった。
【０００５】
一方液体浸入防止機構による防滴を確実なものにしようとすると、その構造が複雑になり、また組み立ても煩雑になってしまう。
【特許文献１】特開２００８−１２３９０４号公報
【発明の開示】
【発明が解決しようとする課題】
【０００６】
本発明は上述の点に鑑みてなされたものでありその目的は、確実な防滴が図れ、組み立ても容易な回転式電子部品を提供することにある。
【課題を解決するための手段】
【０００７】
本願請求項１に記載の発明は、回路基板と、前記回路基板に対して回転自在に設置される回転体と、前記回転体を回転することで電気的出力を変化する電気的機能部とを有し、前記回転体及び電気的機能部の部分を防滴構造にすると共に前記回転体の駆動軸を前記防滴構造の外部に露出してなるユニット化された電気的動作構成部品と、回転軸を有する回転つまみと、前記回転つまみの回転軸を回転自在に軸支する回転つまみ取付部材とを有してなるユニット化された機械的動作構成部品とを具備し、前記駆動軸と回転軸とを一体に回転するように係合しながら前記電気的動作構成部品と機械的動作構成部品とを一体に結合してなることを特徴とする回転式電子部品にある。
【０００８】
本願請求項２に記載の発明は、請求項１に記載の回転式電子部品において、前記防滴構造は、前記回転体を回転自在に収納する回転体収納部を有する防水ケースを有し、この防水ケースの回転体収納部の周囲に前記回路基板に当接して回転体収納部の内部を外部より密封するパッキンを取り付るとともに、この防水ケースには前記回転体の駆動軸を外部に露出する軸挿通穴を設けるとともに軸挿通穴の周囲に前記回転体の駆動軸の周囲に設けた凸または凹からなるリング状の防滴係合部を挿入するリング状の凹または凸からなる防滴部を設け、前記防滴係合部と防滴部の係合と、前記パッキンと回路基板との当接とによって前記回転体収納部内を防滴及び防水して構成されていることを特徴とする回転式電子部品にある。
【０００９】
本願請求項３に記載の発明は、請求項１または２に記載の回転式電子部品において、前記回転つまみ取付部材は、前記電気的動作構成部品を一体に結合することで前記回転つまみと前記電気的機能部の両者の周囲を囲むケース本体であり、前記ケース本体には回転つまみの一部を外部に露出する開口部を設け、さらにこのケース本体には、前記開口部から浸入した液体を外部に排出する排出口を設けたことを特徴とする回転式電子部品にある。
【発明の効果】
【００１０】
請求項１に記載の発明によれば、たとえ回転つまみが液体によって濡れたとしても、回転つまみを取り付けている機械的動作構成部品とは別にユニット化されて防滴構造とされている電気的動作構成部品の電気的機能部に液体が浸入していく恐れは極めて少なくなる。またユニット化された電気的動作構成部品とユニット化された機械的動作構成部品とを一体に結合することで回転式電子部品が構成されるので上記のような確実に防滴が行える防滴構造を有している回転式電子部品でもその組み立てが容易になる。
【００１１】
請求項２に記載の発明によれば、防水ケースを用いることによって、防水ケースの回転体収納部の周囲を防水構造とし、同時に回転体の駆動軸を外部に露出する部分の周囲を防滴構造としたので、電気的機能部を収納している回転体収納部内の防滴及び防水を確実に行うことができる。ここで回転体の駆動軸を外部に露出する部分の周囲を防滴構造とし、パッキンを用いた防水構造としなかったのは、パッキンを用いると回転体の回転に抵抗が生じてその回転トルクが大きくなって回転しにくくなるからである。つまりこの発明は、パッキンによる防水構造と凹凸の係合による防滴構造とを同時に用いることで、回転体の回転をスムーズに行わせると同時に電気的機能部の防滴、防水を確実に行わせている。
【００１２】
請求項３に記載の発明によれば、ケース本体の開口部と回転つまみとの間の隙間からケース本体内に液体が浸入しても、浸入した液体はケース本体に設けた排出口から排出されるので、たとえ前記浸入する液体が大量または継続的であったとしても、この液体が電気的機能部に浸入する恐れをより確実に防止することができる。
【発明を実施するための最良の形態】
【００１３】
以下、本発明の実施形態を図面を参照して詳細に説明する。図１は本実施形態を用いて構成された回転式電子部品１の斜視図、図２は回転式電子部品１の概略断面図（図１のＡ−Ａ断面図）、図３は外装用ケース３００を分離した回転式電子部品１の分解斜視図、図４は電気的動作構成部品１０と機械的動作構成部品１００とを分離した分解斜視図である。これらの図に示すように回転式電子部品１は、ユニット化された電気的動作構成部品１０と、ユニット化された機械的動作構成部品１００とを一体に結合し、さらに外装用ケース３００を取り付けて構成されている。以下各構成部品について説明する。なお以下の説明において、「上」とは機械的動作構成部品１００から電気的動作構成部品１０を見る方向を言い、「下」とはその逆方向を言うものとする。
【００１４】
図５は電気的動作構成部品１０を下側から見た斜視図、図６は電気的動作構成部品１０の一部断斜視図（図４のＢ−Ｂ断面図）、図７は電気的動作構成部品１０を上側から見た分解斜視図、図８は電気的動作構成部品１０を下側から見た分解斜視図である。これらの図に示すように電気的動作構成部品１０は、カバーケース（電気側ケース）２０の下側に、導光部材（以下「導光板」という）４０と、発光素子７０を取り付けた回路基板６０と、摺動子１１０を取り付けた回転体９０と、防水ケース１２０とを設置して構成されている。
【００１５】
カバーケース２０は、合成樹脂を平板状に成形して構成されており、略矩形状の第１カバー部２１と第１カバー部２１より大きい面積の略矩形状の第２カバー部２３とを具備している。第１カバー部２１の下面には小突起状の複数（６つ）の基板取付用係止部２５が設けられ、また第２カバー部２３の下面には小突起状の複数（２つ）の導光部材用係止部２７が設けられている。また第２カバー部２３の下面の左右両側辺近傍には細帯状に下方向に突出し先端に外向きの爪を有する複数本（左右２本ずつ）のケース係止部２９と、細帯状に下方向に突出し先端に内向きの爪を有する複数本（左右２本ずつ）の基板係止部３１とが設けられている。
【００１６】
導光板４０は透光性を有する合成樹脂の一体成形品であり、略矩形状の本体部４１の一辺に下方向に向かって略帯状に延びてその表面を階段状に形成することで光を乱反射させてその表面全体を均一に光らせる光乱反射部４３を設け、また光乱反射部４３の反対側の外周側辺の両端から斜め後方に向けて延びる一対のアーム状の取付アーム４５を設け、さらに各取付アーム４５の先端近傍に上下に貫通する小孔からなる取付部４７を設けて構成されている。
【００１７】
回路基板６０は硬質平板状の絶縁基板の下面に回路パターンを配線して構成されており（上面側にも配線して良い）、その外形形状は前記カバーケース２０の外形形状とほぼ同一に形成されている。回路基板６０の前記カバーケース２０の各基板取付用係止部２５に対向する位置にはこれらを貫通する小孔からなるケース取付用係合部６１が設けられ、また回路基板６０内部の所定位置には複数（４つ）の発光素子取付孔６３が設けられている。これら発光素子取付孔６３には、一対の発光素子７０の一対ずつの端子７１が挿入され、回路基板６０の下面から突出する各端子７１の先端が半田付け等によって電気的・機械的に取り付けられる。また回路基板６０下面の下記する摺動子１１０に対向する位置には、摺動子１１０が摺接することでその電気的出力を変化する摺接パターン６５が形成されている（図８には点線でその形成範囲のみ示している）。摺接パターン６５はスイッチパターンであっても良いし、抵抗体パターンであっても良いし、それら以外の機能を有するパターンであっても良い。なお回路基板６０の下面（場合によっては上面にも）に形成されている回路パターン（摺接パターン６５を除く）は、その表面が絶縁塗料等によって覆われており、防水が図られている。
【００１８】
回転体９０は合成樹脂（例えばＰＯＭ樹脂等）の一体成形品であり、略平板円形状の本体部９１の外周辺から略矩形状の摺動子取付部９３を突設し、また本体部９１の下面側から筒状の駆動軸９５を突設して構成されている。摺動子取付部９３の上面には摺動子１１０取付用の小突起からなる複数の摺動子取付部９４が設けられている。一方駆動軸９５を構成する筒の一部は凹状に切り欠かれた駆動軸側係合部９７となっている。また回転体９０の下面の駆動軸９５の周囲全体にはこれを囲むリング状の溝９９が設けられ、溝９９の外周側にはその周囲全体を囲むリング状の凸部からなる防滴係合部１０１が設けられている。
【００１９】
摺動子１１０は弾性板製であり、複数（３つ）並列に並べられており、それぞれ平板矩形状の基部１１１と、基部１１１の１辺から外方に突出して根元部分を折り曲げて基部１１１の上方に位置する一対の弾性アーム部１１３とを具備し、弾性アーム部１１３の先端に弾接部１１５を設けて構成されている。
【００２０】
防水ケース１２０は合成樹脂（この実施形態ではポリカーボネート樹脂を用いているが、他の各種合成樹脂材を用いても良い）の一体成形品であり、略平板矩形状に形成されており、その外形形状は前記カバーケース２０の第１カバー部２１の外形形状と略同一である。防水ケース１２０の内部には前記回転体９０を回動自在に収納する下方向に凸となる回転体収納部１２１が設けられている。防水ケース１２０上面の回転体収納部１２１の周囲には、この回転体収納部１２１の外周全体を囲むリング状の溝部１２３が設けられており、溝部１２３内にはリング状の弾性材（例えばシリコンゴムなどの合成ゴムや各種エラストマー）からなるパッキン１４０が収納されている。また回転体収納部１２１の底面中央には前記回転体９０の駆動軸９５を回転自在にぴったり挿通する円形の貫通孔からなる軸挿通穴１２５が設けられ、また軸挿通穴１２５の周囲の上面側の面には前記回転体９０の駆動軸９５の周囲に設けた防滴係合部１０１を挿入するリング状の凹部からなる防滴部１２７が設けられている。また防水ケース１２０の左右の外周辺近傍の前記カバーケース２０の各基板取付用係止部２５に対向する位置にはこれらを挿入する貫通する小孔からなるケース係止部１２９が設けられている。
【００２１】
次に電気的動作構成部品１０の組立方法を説明すると、まず予め前述のように回路基板６０に一対の発光素子７０を取り付けておく。そしてカバーケース２０の下面に導光板４０を配置し、その際カバーケース２０の一対の導光部材用係止部２７を導光板４０の各取付部４７に挿入し、導光部材用係止部２７の先端を導光板４０の下面側で熱かしめすることで一体化する。次にその下側に回路基板６０を配置し、その際カバーケース２０の各基板取付用係止部２５を回路基板６０の各ケース取付用係合部６１に貫通させ、同時にカバーケース２０の各基板係止部３１先端の爪を回路基板６０の左右外周側辺にスナップイン係合し、カバーケース２０と回路基板６０とを一体化する。
【００２２】
次に防水ケース１２０の回転体収納部１２１に回転体９０を収納し、その際回転体９０の駆動軸９５を防水ケース１２０の軸挿通穴１２５に回転自在に軸支されるように挿入する。そしてこの回転体９０を収納した防水ケース１２０を前記回路基板６０の下面側に配置し、その際回路基板６０の下面から突出しているカバーケース２０の各基板取付用係止部２５を防水ケース１２０の各ケース係止部１２９に挿入し、各基板取付用係止部２５の先端を防水ケース１２０の下面側で熱かしめして防水ケース１２０を取り付ける。これによって電気的動作構成部品１０の組み立てが完了する。この電気的動作構成部品１０は、この電気的動作構成部品１０のみで回転式電子部品１の電気動作（回転体９０の回転によって電気的出力が変化する動作）が完結する１つのユニットになっている。即ち電気的動作構成部品１０は、回転式電子部品１の電気的動作を行う部分を１つのユニットとして単体で構成したものである。
【００２３】
このとき図６に示すように、発光素子７０は導光板４０の外周側面（光乱反射部４３の反対側の外周側面）に対向して接近する位置に配置され、また図２に示すように、各摺動子１１０の弾接部１１５は回路基板６０の摺接パターン６５に弾接し、またパッキン１４０は回路基板６０の下面に押し付けられて回路基板６０と防水カバー１２０の間で少し潰されることで防水ケース１２０の回転体収納部１２１の内部を外部より密封（完全防水）し、また回転体９０の駆動軸９５が防水ケース１２０の軸挿通穴１２５から外部（下方）に露出し、さらに回転体９０の防滴係合部１０１が防水ケース１２０の防滴部１２７に係合することで軸挿通穴１２５から回転体収納部１２１内に液体が浸入するのを防止する防滴構造が構成されている。ここで防滴構造とは、水が浸入し難い構造であって、完全防水ではないが、液体が付着したり多少多めにかかったりした程度では水の浸入を確実に防止することができる構造を言うものとする。
【００２４】
上記電気的動作構成部品１０において、回転体９０の駆動軸９５を外部に露出する部分の周囲を防滴構造とし、パッキンを用いた防水構造としなかったのは、パッキンを用いると回転体９０の回転に抵抗が生じてその回転トルクが大きくなって回転しにくくなるからである。つまりこの実施形態では、パッキン１４０による防水構造と、防滴係合部１０１と防滴部１２７の係合による防滴構造とを同時に用いることで、回転体９０の回転をスムーズに行わせると同時に電気的機能部の防滴、防水を確実に行わせている。
【００２５】
図９は機械的動作構成部品１００の一部断斜視図（図４のＣ−Ｃ断面図）、図１０は機械的動作構成部品１００を上側から見た分解斜視図、図１１は機械的動作構成部品１００を下側から見た分解斜視図である。これらの図に示すように機械的動作構成部品１００は、回転つまみ取付部材（以下「ケース本体」という）１５０内に、回転つまみ１８０を回転自在に取り付けて構成されている。
【００２６】
ケース本体１５０は合成樹脂の一体成形品であり、上面が開放された箱型の第１ケース部１５１と第１ケース部１５１より大きい体積の箱型の第２ケース部１５３とを具備し、両者間は隔壁１５５によって分離して構成されている。第１ケース部１５１の外形寸法形状は前記カバーケース２０の第１カバー部２１と略同一の外形寸法形状であり、第２ケース部１５３の外形寸法形状は前記カバーケース２０の第２カバー部２３と略同一の外形寸法形状である。第１ケース部１５１の外側壁の１つは切り欠かれて開口部１５７となっている。開口部１５７は回転つまみ１８０の一部を露出するものである。第１ケース部１５１の底面の略中央には上方向に向かって突出する円柱状の軸部１５９が設けられ、また第１ケース部１５１の底面の軸部１５９を中心にした円弧上にはＣ字状のクリック係合溝１６１が設けられ、またクリック係合溝１６１の中央には２つの凸部の間に凹部を設けてなるクリック係合部１６３が設けられている。また前記軸部１５９の中央には上下に貫通するピン挿入部１６０が設けられ、ピン挿入部１６０の上部の部分の内径は下部の部分の内径よりも小さくなっている。また第１ケース部１５１の底面の軸部１５９の側部には小突起状のストッパ１６５が設けられている。また第１ケース部１５１の隔壁１５５側の底面には隔壁１５５に沿うように１つのスリット状の上下に貫通する貫通孔からなる排出口１６７が設けられている。第１ケース部１５１の左右両外側壁（図１０，図１１では一方のみ示す）には、下記する外装用ケース３００の係合取付部３０５に係止される爪状の外装用ケース係止部１６９が設けられ、また第２ケース部１５３の左右両側壁には２つずつ前記カバーケース２０の各ケース係止部２９先端の爪を係止する開口からなる爪係止部１７１が設けられている。なお第２ケース部１５３内は実際には各種電子部品等を設置するための複雑な構造となっているが、本発明の説明には不要なので、内部の構造は省略している。
【００２７】
回転つまみ１８０は合成樹脂の一体成形品であり、略円板状のつまみ基部１８１の外周に略円筒状のつまみ操作部１８３を設け、またつまみ基部１８１の中央から上下に突出する筒状の回転軸１８５を設け、さらにつまみ基部１８１の何れかの部分（前記ケース本体１５０のクリック係合溝１６１に対向する位置）に筒状であって上面が塞がれることで下面側に開口するクリック機構収納部１８７を設けて構成されている。回転つまみ１８０は透光性を有する透明または半透明な合成樹脂によって形成され、つまみ操作部１８３の外表面に不透光性の塗装を行うとともに、塗装されたつまみ操作部１８３の外表面に所望の抜き文字，抜き模様等をレーザカット等によって形成している。回転軸１８５は円筒状であって、その内部は前記軸部１５９を回動自在にぴったり挿入する軸部挿入部１８９となっている。またつまみ基部１８１上面の回転軸１８５の外周には、略扇形状の回転軸側係合部１９３が設けられている。回転軸側係合部１９３はその回転方向の長さ寸法が前記回転体６０の駆動軸側係合部９７の回転方向の長さ寸法とほぼ一致することで、両者を係合した際に回転方向にぴったり係合する構造となっている。なお回転軸１８５の上面には金属製または樹脂製の円形薄板状の押え板１９５が設置され、また前記クリック機構収納部１８７内にはクリック弾接部材１９７とコイルバネ１９８が収納される。押え板１９５の中央にはピン取付孔１９５aが設けられている。クリック弾接部材１９７は略円柱状であって下方向に向かって球面状に突出してなる弾接面１９７ａを有しており、また上面中央には円形の凹部からなるバネ収納部１９７ｂが設けられている。クリック弾接部材１９７は前記回転つまみ１８０のクリック機構収納部１８７に上下動自在に収納される外形寸法を有している。また回転つまみ１８０の下面には、前記ケース本体１５０のストッパ１６５を挿入してその移動範囲を規制するストッパ係合部１９９が設けられている。
【００２８】
次に機械的動作構成部品１００の組立方法を説明すると、まずコイルバネ１９８をクリック弾接部材１９７のバネ収納部１９７ｂに収納する。次にこのクリック弾接部材１９７を回転つまみ１８０のクリック機構収納部１８７内に収納した状態で、この回転つまみ１８０をケース本体１５０の第１ケース部１５１内に収納し、その際回転つまみ１８０の軸部挿入部１８９に軸部１５９を挿入する。このときケース本体１５０のストッパ１６５が回転つまみ１８０のストッパ係合部１９９に挿入される。そして回転つまみ１８０の回転軸１８５の上面に押え板１９５を載置し、軸部１５９のピン挿入部１６０にその下面側から金属製のハトメピン２５０を挿入し、ハトメピン２５０の先端を軸部１５９の上面から突出して押え板１９５のピン取付孔１９５ａに挿入してその先端を押え板１９５の上面側でかしめる。これによって回転つまみ１８０はケース本体１５０の軸部１５９に回動自在に軸支され、同時にクリック弾接部材１９７はコイルバネ１９８の弾発力によってその弾接面１９７ａがケース本体１５０のクリック係合溝１６１に弾接する。これによって機械的動作構成部品１００の組み立てが完了する。この機械的動作構成部品１００は、この機械的動作構成部品１００のみでクリック機能付きの回転つまみ１８０の回転動作が行える（完結する）１つのユニットになっている。即ち機械的動作構成部品１００は、回転つまみ１８０の回転動作を行う部分を１つのユニットとして単体で構成したものである。
【００２９】
次に外装用ケース３００は図３に示すように、合成樹脂を略箱型に成形して構成されている。外装用ケース３００の前記機械的動作構成部品１００等の側を向く面には、ケース収納口３０１が設けられ、その反対側の面にはスリット状の回転つまみ露出部３０３が設けられている。この回転つまみ露出部３０３を設けた側の面は外装面３０７であって所望の装飾が施されている。また外装用ケース３００の左右両側面（図３では一方の面のみ示す）には前記ケース本体１５０の外装用ケース係止部１６９に係合される開口からなる係合取付部３０５が設けられている。
【００３０】
そして回転式電子部品１を組み立てるには、図４において、前記ユニット化された電気的動作構成部品１０をユニット化された機械的動作構成部品１００上に載置する。このとき電気的動作構成部品１０の各ケース係止部２９の先端の爪を機械的動作構成部品１００の各爪係止部１７１にスナップイン係合によって係合し、一体化する。これによって図３に示す状態になる。このとき電気的動作構成部品１０側の回転体９０に設けた駆動軸９５の下面中央の凹部内に、機械的動作構成部品１００側の回転つまみ１８０の回転軸１８５上部が挿入され、回転軸１８５に設けた回転軸側係合部１９３が駆動軸９５に設けた駆動軸側係合部９７に係合される。即ち図４に示す回転軸側係合部１９３の両端面１９４，１９４と図５に示す駆動軸側係合部９７の両端面９８，９８とがぴったり当接し、回転体９０と回転つまみ１８０は回転方向に一体に回転するように係合される。またこのとき回転つまみ１８０のつまみ操作部１８３の内側面側に導光板４０の光乱反射部４３が位置する。次に図３において、前記一体化されたカバーケース２０の第１カバー部２１とケース本体１５０の第１ケース部１５１とを、外装用ケース３００のケース収納口３０１に挿入し、外装用ケース３００の両係合取付部３０５にケース本体１５０の外装用ケース係止部１６９を係合し、これによって図１に示す回転式電子部品１を完成する。このとき回転つまみ１８０のつまみ操作部１８３の一部は、外装用ケース３００の回転つまみ露出部３０３内に露出する。なお以上説明した回転式電子部品１の組立手順はその一例であり、他の各種異なる組立手順を用いて組み立てても良いことはいうまでもない。
【００３１】
以上のようにして組み立てられた回転式電子部品１において、図２に示すように、外装用ケース３００から外部に露出する回転つまみ１８０のつまみ操作部１８３を回転操作すると、回転つまみ１８０と一体に回転体９０が回転し、回転体９０に取り付けた摺動子１１０の弾接部１１５が摺接パターン６５上を摺動し、その電気的出力を変化する。回転つまみ１８０を回転した際、クリック弾接部材１９７の弾接面１９７ａはケース本体１５０のクリック係合溝１６１に弾接しながら摺動するが、この弾接面１９７ａがクリック係合溝１６１中のクリック係合部１６３に移動すると、その前に凸部を乗り越えることでクリック感覚を生じながらその位置に係止される。前記弾接面１９７ａがクリック係合部１６３から抜け出る際もクリック感覚が生じる。一方発光素子７０を発光するとその光は導光板４０の外周側壁からその内部に導入されて光乱反射部４３全体に導かれ、光乱反射部４３全体の前面から放射され、回転つまみ１８０のつまみ操作部１８３にその背面側から導入され、つまみ操作部１８３を照らし出す。これによって塗装されているつまみ操作部１８３表面の抜き文字や抜き模様の部分が明るく表示される。
【００３２】
一方前記回転つまみ１８０のつまみ操作部１８３と外装用ケース３００の回転つまみ露出部３０３との間の隙間から内部に水（液体）が浸入した場合、機械的動作構成部品１００を構成する各部材には浸入した水が付着する。つまり回転つまみ１８０やクリック弾接部材１９７やコイルバネ１９８等には水が付着するが、これらは電気的機能部ではないので何ら問題はない。一方電気的動作構成部品１０の回路基板６０及び防水ケース１２０によって覆われている部分は、前述のようにパッキン１４０による完全防水と、回転体９０の防滴係合部１０１及び防水ケース１２０の防滴部１２７による防滴構造とによって防水及び防滴が図られているので、摺動子１１０及び摺動子１１０が摺接する摺接パターン６５の部分に水が浸入することはない。さらに機械的動作構成部品１００内に浸入した水が大量であったり、または継続的に水が侵入してくるような場合であっても、浸入した水はケース本体１５０に設けた排出口１６７から随時排出され、浸入した水が機械的動作構成部品１００内に溜まることがなく、この点からもさらに効果的に前記防滴構造の部分に水が触れることがなく、防水ケース１２０内への水の浸入をさらに効果的に防止できる。
【００３３】
以上説明したように回転式電子部品１は、回路基板６０と、回路基板６０に対して回転自在に設置される回転体９０と、回転体９０を回転することで電気的出力を変化する摺動子１１０と摺接パターン６５からなる電気的機能部とを有し、回転体９０及び電気的機能部の部分を防水ケース１２０等を用いて防滴構造にすると共に回転体９０の駆動軸９５を防滴構造の外部に露出してなるユニット化された電気的動作構成部品１０と、回転軸１８５を有する回転つまみ１８０と、回転つまみ１８０の回転軸１８５を回転自在に軸支するケース本体１５０とを有してなるユニット化された機械的動作構成部品１００（このとき回転軸１８５は外部に露出している）とを具備し、駆動軸９５と回転軸１８５とを一体に回転するように係合しながら電気的動作構成部品１０と機械的動作構成部品１００とを一体に結合して構成しているので、たとえ回転つまみ１８０が液体によって濡れたとしても、回転つまみ１８０を取り付けている機械的動作構成部品１００とは別にユニット化されて防滴構造とされている電気的動作構成部品１０の電気的機能部に液体が浸入していく恐れは極めて少なくなる。またユニット化された電気的動作構成部品１０とユニット化された機械的動作構成部品１００とを一体に結合することで容易に回転式電子部品１を組み立てることができる。
【００３４】
また上記防滴構造は、回転体９０を回転自在に収納する回転体収納部１２１を有する防水ケース１２０を有し、この防水ケース１２０の回転体収納部１２１の周囲に回路基板６０に当接して回転体収納部１２１の内部を外部より密封するパッキン１４０を取り付るとともに、この防水ケース１２０には回転体９０の駆動軸９５を外部に露出する軸挿通穴１２５を設けるとともに、軸挿通穴１２５の周囲に回転体９０の駆動軸９５の周囲に設けた凸（または凹）からなるリング状の防滴係合部１０１を挿入するリング状の凹（または凸）からなる防滴部１２７を設け、防滴係合部１０１と防滴部１２７の係合と、パッキン１４０と回路基板６０との当接とによって回転体収納部１２１内を防滴及び防水して構成されているので、電気的機能部を収納している回転体収納部１２１内の防滴及び防水を確実に行うことができ、同時に回転体の回転をスムーズに行わせることができる。
【００３５】
またケース本体１５０は電気的動作構成部品１０を一体に結合することで回転つまみ１８０と電気的機能部の両者の周囲を囲む構成であり、ケース本体１５０には回転つまみ１８０の一部を外部に露出する開口部１５７を設け、さらにケース本体１５０には、開口部１５７から浸入した液体を外部に排出する排出口１６７を設けたので、ケース本体１５０の開口部１５７と回転つまみ１８０との間の隙間からケース本体１５０内に液体が浸入しても、浸入した液体は排出口１６７から排出され、たとえ浸入する液体が大量または継続的であったとしても、この液体が電気的機能部に浸入する恐れをより確実に防止することができる。
【００３６】
またケース本体１５０に軸部１５９を突設すると共に、回転つまみ１８０の回転軸１８５を筒状に形成することで、回転軸１８５の中央に軸部１５９を挿入して回転つまみ１８０を回転自在に軸支しているので、ケース本体１５０への回転つまみ１８０の軸支が強い機械的強度で実現でき、回転トルクや回転軸中心に向かう力が強い場合であってもこれによって前記軸支機構が破壊されることはなくなる。さらに回転つまみ１８０の回転軸１８５と回転体９０の駆動軸９５との係合を、回転軸１８５の外周から半径方向外側に向けて設けられる回転軸側係合部１９３に駆動軸９５に設けられる駆動軸側係合部９７を係合することで行なっているので、両者間の係合の機械的強度も強い。
【００３７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では摺動子１１０と摺接パターン６５によって電気的機能部を構成しているが、他の各種構造によって電気的機能部を構成しても良く、要は回転体を回転することで電気的出力を変化する電気的機能部であればどのような構造であっても良い。また上記実施形態ではパッキン１４０を用いて防水構造を構成したが、他の各種防水構造を用いても良い。またユニット化された電気的動作構成部品１０とユニット化された機械的動作構成部品１００の構成に種々の変更が可能であることはいうまでもない。また上記実施形態では駆動軸９５に設けた駆動軸側係合部９７と回転軸１８５に設けた回転軸側係合部１９３とを係合することで両者を一体に回転するように構成したが、他の各種係合構造で構成しても良い。また前記回転体９０に設けた凸からなる防滴係合部１０１と防水ケース１２０に設けた凹からなる防滴部１２７との係合によって防滴構造を構成したが、防滴係合部１０１を凹、防滴部１２７を凸で構成して両者を係合させて構成しても良い。
【図面の簡単な説明】
【００３８】
【図１】回転式電子部品１の斜視図である。
【図２】回転式電子部品１の概略断面図（図１のＡ−Ａ断面図）である。
【図３】外装用ケース３００を分離した回転式電子部品１の分解斜視図である。
【図４】電気的動作構成部品１０と機械的動作構成部品１００とを分離した分解斜視図である。
【図５】電気的動作構成部品１０を下側から見た斜視図である。
【図６】電気的動作構成部品１０の一部断斜視図（図４のＢ−Ｂ断面図）である。
【図７】電気的動作構成部品１０を上側から見た分解斜視図である。
【図８】電気的動作構成部品１０を下側から見た分解斜視図である。
【図９】機械的動作構成部品１００の一部断斜視図（図４のＣ−Ｃ断面図）である。
【図１０】機械的動作構成部品１００を上側から見た分解斜視図である。
【図１１】機械的動作構成部品１００を下側から見た分解斜視図である。
【符号の説明】
【００３９】
１  回転式電子部品
１０  電気的動作構成部品
２０  カバーケース
４０  導光板（導光部材）
６０  回路基板
６５  摺接パターン（電気的機能部）
７０  発光素子
９０  回転体
９５  駆動軸
９７  駆動軸側係合部
１００  機械的動作構成部品
１０１  防滴係合部
１１０  摺動子（電気的機能部）
１２０  防水ケース
１２１  回転体収納部
１２５  軸挿通穴
１２７  防滴部
１４０  パッキン
１５０  ケース本体（回転つまみ取付部材）
１５７  開口部
１６７  排出口
１８０  回転つまみ
１８５  回転軸
１９３  回転軸側係合部
３００  外装用ケース
【図１】
2010009937.tif 000003
【図２】
2010009937.tif 000004
【図３】
2010009937.tif 000005
【図４】
2010009937.tif 000006
【図５】
2010009937.tif 000007
【図６】
2010009937.tif 000008
【図７】
2010009937.tif 000009
【図８】
2010009937.tif 000010
【図９】
2010009937.tif 000011
【図１０】
2010009937.tif 000012
【図１１】
2010009937.tif 000013